(57)【要約】【課題】表示器の置き場所に困らず、装置本体を小型化できる血圧測定装置を提供する。【解決手段】被測定部位である人体の腕を挿入するための腕挿入筒部５を設けた装置本体１を備える。測定結果を表示するための装置本体１とは別体の表示器２を備える。表示器２を腕挿入筒部５に保持するための保持手段１９を設ける。【選択図】図１
2008148768.tif 000002
【特許請求の範囲】
【請求項１】
被測定部位である人体の腕を挿入するための腕挿入筒部を設けた装置本体と、測定結果を表示するための前記装置本体とは別体の表示器を備え、表示器を腕挿入筒部に保持するための保持手段を備えて成ることを特徴とする血圧測定装置。
【請求項２】
表示器を腕挿入筒部に保持した状態で表示器が腕挿入筒部の周縁部の両端部間に跨って配置されることを特徴とする請求項１に記載の血圧測定装置。
【請求項３】
腕挿入筒部に表示器を保持した状態であるか否かを検出する保持検出手段と、腕挿入筒部に表示器を保持した状態で表示器と装置本体との通信を停止する通信停止手段とを設けて成ることを特徴とする請求項１又は請求項２に記載の血圧測定装置。
【請求項４】
腕挿入筒部に表示器を保持した状態であるか否かを検出する保持検出手段と、腕挿入筒部に表示器を保持した状態で装置本体又は表示器の少なくとも一方の電源をＯＦＦにする電源ＯＦＦ手段とを設けて成ることを特徴とする請求項１又は請求項２に記載の血圧測定装置。
【請求項５】
腕挿入筒部に表示器を保持した状態であるか否かを検出する保持検出手段と、表示器で表示される表示内容を、腕挿入筒部に表示器を保持した状態と保持していない状態とで自動的に異ならせる表示内容変更手段を設けて成ることを特徴とする請求項１又は請求項２に記載の血圧測定装置。
【請求項６】
表示器を、本体部と、本体部の後端部から立ち上げた前面に表示画面を有する表示部とで構成し、表示部を上側程後方に位置するように傾斜させ、該表示器の本体部から表示部に至る部分に腕挿入筒部内に嵌込可能な嵌込部を下方に向けて突設し、該嵌込部を腕挿入筒部内に嵌め込んで表示器を腕挿入筒部に保持して成ることを特徴とする請求項１乃至５のいずれか１項に記載の血圧測定装置。
【発明の詳細な説明】
【技術分野】
【０００１】
本発明は装置本体とは別体の表示器を備えた血圧測定装置に関する。
【背景技術】
【０００２】
従来の血圧測定装置には図１１に示すように被測定部位である人体の腕を挿入するための腕挿入筒部を設けた装置本体１と、該装置本体１で測定した測定結果を表示するための表示器２とを別体に備えたものがあり、これら血圧測定装置は表示器２を測定中の使用者から見やすい位置に配置できる、軽量の表示器２のみを持ち運んで表示器２で表示された測定結果を医者に見せることができるなどの利点がある。また上記血圧測定装置の装置本体１の外郭を構成するハウジングの１ａ表面には収納凹所３０を形成しており、該収納凹所３０に表示器２を収納することで、装置本体１と別体である表示器２の置き場所を確保して紛失などしないようにし、これにより装置本体１及び表示器２をセットとした血圧測定装置を構成している。
【０００３】
しかし上記図１１に示す血圧測定装置では、装置本体１のハウジング１ａに表示器２を収納するための収納凹所３０を形成する部分を設ける必要があり、装置本体２が大型化して、狭いスペースに載置できないといった問題が生じる。なお、例えば特許文献１には装置本体と別体の表示器を備えた血圧測定装置が開示されている。
【特許文献１】特開２００５−２３７５６０号公報
【発明の開示】
【発明が解決しようとする課題】
【０００４】
本発明は上記従来の問題点に鑑みて発明したものであって、表示器の置き場所に困らず、装置本体を小型化できる血圧測定装置を提供することを課題とするものである。
【課題を解決するための手段】
【０００５】
上記課題を解決するために本発明に係る血圧測定装置は、被測定部位である人体の腕を挿入するための腕挿入筒部５を設けた装置本体１と、測定結果を表示するための前記装置本体１とは別体の表示器２を備え、表示器２を腕挿入筒部５に保持するための保持手段１９を備えて成ることを特徴とする。このように表示器２を腕挿入筒部５に保持するための保持手段を設けたことで、装置本体１の外面に別途表示器２を収納する部分を形成することなく表示器２を装置本体１に保持することができる。
【０００６】
また表示器２を腕挿入筒部５に保持した状態で表示器２が腕挿入筒部５の周縁部の両端部間に跨って配置されることが好ましい。このような構成により表示器２を装置本体１の腕挿入筒部５に保持した時に一層コンパクトにすることができる。
【０００７】
また腕挿入筒部５に表示器２を保持した状態であるか否かを検出する保持検出手段と、腕挿入筒部５に表示器２を保持した状態で表示器２と装置本体１との通信を停止する通信停止手段とを設けることが好ましい。このように腕挿入筒部５に表示器２を保持した状態で表示器２と装置本体１との通信を停止する通信停止手段を設けることで、表示器２が装置本体１に保持されていない状態でのみ表示器２と装置本体１との通信を可能とすることができ、省エネを実現できる。
【０００８】
また腕挿入筒部５に表示器２を保持した状態であるか否かを検出する保持検出手段と、腕挿入筒部５に表示器２を保持した状態で装置本体１又は表示器２の少なくとも一方の電源をＯＦＦにする電源ＯＦＦ手段とを設けることが好ましい。腕挿入筒部５に表示器２を保持した状態で装置本体１又は表示器２の少なくとも一方の電源をＯＦＦにする電源ＯＦＦ手段を設けることで、表示器２が装置本体１に保持されていない状態でのみ装置本体１又は表示器２の電源をＯＮにすることができる。
【０００９】
また腕挿入筒部５に表示器２を保持した状態であるか否かを検出する保持検出手段と、表示器２で表示される表示内容を、腕挿入筒部５に表示器２を保持した状態と保持していない状態とで自動的に異ならせる表示内容変更手段を設けることが好ましい。このように表示器２で表示される表示内容を腕挿入筒部５に表示器２を保持した状態と保持していない状態とで自動的に異ならせる表示内容変更手段を設けることで、腕挿入筒部５に表示器２を保持した状態と保持していない状態の夫々に適した表示を表示器２で表示することができる。
【００１０】
また表示器２を、本体部１３と、本体部１３の後端部から立ち上げた前面に表示画面１４ａを有する表示部１４とで構成し、表示部１４を上側程後方に位置するように傾斜させ、該表示器２の本体部１３から表示部１４に至る部分に腕挿入筒部５内に嵌込可能な嵌込部１９ａを下方に向けて突設し、該嵌込部１９ａを腕挿入筒部５内に嵌め込んで表示器２を腕挿入筒部５に保持することが好ましい。本体部１３の下面から表示部１４の後面に至る部分、即ち側面視略く字状をした表示器２の屈曲部分に腕挿入筒部５内に嵌込可能な嵌込部１９ａを突設し、該嵌込部１９ａを腕挿入筒部５内に嵌め込んで表示器２を腕挿入筒部５に保持可能としたので、表示器２を腕挿入筒部５内に安定して収まり良く嵌め込むことができる。
【発明の効果】
【００１１】
請求項１に係る発明では、装置本体の外面に別途表示器を収納する部分を形成することなく表示器を装置本体に保持することができ、装置本体１の小型化を実現できる。
【００１２】
また請求項２に係る発明では、請求項１に係る発明の効果に加えて、表示器を装置本体の腕挿入筒部に保持した時に一層コンパクトにすることができる。
【００１３】
また請求項３に係る発明では、請求項１又は請求項２に係る発明の効果に加えて、表示器が装置本体に保持されていない状態でのみ表示器と装置本体との通信を可能とすることができ、省エネを実現できる。
【００１４】
また請求項４に係る発明では、請求項１又は請求項２に係る発明の効果に加えて、表示器が装置本体に保持されていない状態でのみ装置本体又は表示器の電源をＯＮにすることができ、省エネを実現できる。
【００１５】
また請求項５に係る発明では、請求項１又は請求項２に係る発明の効果に加えて、腕挿入筒部に表示器を保持した状態と保持していない状態の夫々に適した表示を表示器で表示でき、腕挿入筒部に表示器を保持した非測定時には表示器を有効に利用することができる。
【００１６】
また請求項６に係る発明では、請求項１乃至５のいずれか１項に係る発明の効果に加えて、表示器を腕挿入筒部内に安定して収まり良く嵌め込むことができる。
【発明を実施するための最良の形態】
【００１７】
以下、本発明を添付図面に示す実施形態に基づいて説明する。本実施形態の一例の血圧測定装置は人体の腕の血圧を測定するものであり、自動で血圧を測定する装置本体１と、該装置本体１で測定した測定結果を表示する別体の表示器２とを備えている。
【００１８】
装置本体１は机の上面等で構成された載置面に載置されるベース３と、ベース３の上方に配されてベース３に対して回動可能に取付けた測定部としての腕挿入筒部５からなる。腕挿入筒部５の中央には被測定部位である人体の腕（詳しくは上腕部）を挿入するための上下に貫通する円形の孔を形成してあり、該腕挿入筒部５の内周面には腕挿入筒部５の挿入口５ａ（腕挿入筒部５のベース３と反対側の開口）から挿入した腕の上腕部を包囲して圧迫するためのカフ６を設けている。腕挿入筒部５の一端部の下端は枢支部２５を介してベース３の一端部に回動自在に連結してあり、これにより腕挿入筒部５を上下方向に回動して腕挿入筒部５の軸方向を任意の傾斜角度に変更できるようになっている。
【００１９】
図４に示すように装置本体１にはカフ６に空気を送って加圧する加圧ポンプ７を設けてあり、カフ６内の空気は開閉自在な電磁弁からなる排気弁８を介して外部に排出できるようになっている。また装置本体１にはカフ６内の圧力値を検出する圧力センサ９と、該圧力センサ９で検出したカフ６の圧力情報に基づいて計算処理を行って血圧や脈拍を算出するＣＰＵ１１を備えた本体側回路部１０を設けてあり、該装置本体１の外面には使用者により操作されて血圧測定動作の指示を与えるための本体側操作部１２を設けている。なお図２では本体側操作部１２の図示を省略する。
【００２０】
表示器２は装置本体１の腕挿入筒部５の挿入口５ａ側の端部（上端部）に着脱自在に取り付けられるものであって、装置本体１を載置する箇所とは異なる載置面に載置される本体部１３と、本体部１３の後端部から立ち上げた前面に表示画面１４ａを有する表示部１４とを備えている。本体部１３の上面には表示器側操作部１５を設けてあり、該表示器側操作部１５を操作することで表示画面１４ａに表示される表示内容を変更可能となっている。また表示器２の表示部１４は上側に行く程後方に位置するように傾斜し、表示器２全体で側面視略く字状をしており、これにより本体部１３を載置面に載置した状態で使用者から表示部１４の表示画面１４ａを視認しやすくなっている。
【００２１】
図４に示すように装置本体１及び表示器２の夫々には送信部からなる本体側通信部１６及び受信部からなる表示器側通信部１７を設けてあり、装置本体１で測定した測定データを本体側通信部１６から送信し、該送信データを表示器側通信部１７で受信し、これにより装置本体１及び表示器２間で一方向の通信を行って、装置本体１から表示器２に送信されたデータを表示器２に設けた表示器側回路部１８により表示画面１４ａに表示できるようになっている。なお装置本体１と表示器２の通信は赤外線等を用いて無線により行うものとする。
【００２２】
そして上記装置本体１及び表示器２で構成した血圧測定装置により血圧を測定するには、例えば表示器２を装置本体１から取り外し、この分離した表示器２を使用者から表示画面１４ａが見えやすい位置に配置し、装置本体１の腕挿入筒部５を回動して腕挿入筒部５の中心軸方向を所望の傾斜角度とし、この装置本体１の腕挿入筒部５に挿入口５ａから腕の上腕部を挿入すると共に該腕の前腕部を挿入口５ａと反対側の開口から出し、且つこの腕の肘をベース３上に載置し、この状態で本体側操作部１２を操作して血圧測定動作を開始する。測定を開始すると、本体側回路部１０は加圧ポンプ７を駆動してカフ６により被測定部位である腕の上腕部を圧迫し、この後、排気弁８を開いてカフ６を減圧し、この時のカフ６の内圧を圧力センサ９により検出してデータとして取り込み、このデータに基づいて最高血圧、最低血圧、脈拍数からなる測定結果を算出し、該算出データを表示器２に送信して表示器２の表示画面１４ａに表示する。
【００２３】
ここで上記表示器２には該表示器２を腕挿入筒部５に保持するための保持手段１９として、表示器２から下方に向けて突出した嵌込部１９ａを形成してあり、嵌込部１９ａは本体部１３の後部から表示部１４の前部に至る部分に表示器２と一体に形成してある。嵌込部１９ａは腕挿入筒部５の内側の挿入口５ａ側の端部に嵌め込み可能としてある。これにより装置本体１の未使用時における表示器２は、嵌込部１９ａを腕挿入筒部５の挿入口５ａ側端部の内側に嵌め込み、且つ嵌込部１９ａよりも外側に位置する表示器２の前後の両端部（即ち本体部１３の前端部及び表示部１４の上端部）を腕挿入筒部５の挿入口５ａの周縁部の前後の両端部上に載置することで、装置本体１の腕挿入筒部５の挿入口５ａの周縁部の前後の両端部間に跨った状態で保持されるようになっており、このように装置本体１で表示器２を保持した状態では、腕挿入筒部５の軸方向から見て表示器２が腕挿入筒部５の挿入口５ａと重複し、腕挿入筒部５の上端外周縁の内側に位置するようになっている。なお表示器２の左右の幅方向の寸法は挿入口５ａの左右両端間の寸法よりも短く、つまり表示器２は前後の両端部のみが挿入口５ａの周縁部に引っ掛かった状態で保持されるものである。また嵌込部１９ａは間にカフ６を介して腕挿入筒部５内に嵌め込まれるものであっても良いものとする。
【００２４】
また表示器２の嵌込部１９ａを腕挿入筒部５内から上方に引き出し、表示器２を装置本体１から取り外すことにより、表示器２を使用者から見やすい位置に配置したり、表示器２のみを持ち運んで表示器２で表示された測定結果を医者に見せたりできる。なお嵌込部１９ａの下面は平坦な面となっており、表示器２は嵌込部１９ａの下面を載置面に載置した状態で自立できるようになっている。
【００２５】
このように本発明の血圧測定装置は表示器２を腕挿入筒部５に保持するための保持手段１９を設けたので、装置本体１の外面に別途表示器２を収納する部分を形成することなく表示器２を装置本体１に保持することができ、装置本体１の小型化を実現できる。
【００２６】
また本例では表示器２を腕挿入筒部５に保持した状態で、表示器２により腕挿入筒部５の挿入口５ａの一部を塞ぐように表示器２が腕挿入筒部５の周縁部の前後の両端部間に跨って配置されるようにしたので、表示器２を装置本体１の腕挿入筒部５に保持した時に一層コンパクトにすることができる。また表示器２を、載置面に載置される本体部１３と、本体部１３の後端部から立ち上げた前面に表示画面１４ａを有する表示部１４とで構成し、表示部１４を上側程後方に位置するように傾斜させたので、表示器２の表示画面１４ａが見やすい。また本例では保持手段１９を腕挿入筒部５内に嵌め込まれる嵌込部１９ａで構成したので、腕挿入筒部５内の空間に表示器２の一部である嵌込部１９ａを配置でき、表示器２を装置本体１に取り付けた状態では血圧測定装置を小型化できる。さらに本例では本体部１３の下面から表示部１４の後面に至る部分、即ち側面視略く字状をした表示器２の屈曲部分に腕挿入筒部５内に嵌込可能な嵌込部１９ａを突設し、嵌込部１９ａを腕挿入筒部５内に嵌め込んで表示器２を腕挿入筒部５に保持したので、表示器２の嵌込部１９ａを腕挿入筒部５内に安定して収まり良く嵌め込むことができ、またこの場合、側面視略く字状をした表示器２の屈曲部分をも腕挿入筒部５内に収納することも可能となり、装置本体１からの表示器２の突出量を抑えることもできる。
【００２７】
なお図１に示す保持手段１９を構成する嵌込部１９ａは腕挿入筒部５の内径よりも小さめに形成してあるが、図５（ａ）のように腕挿入筒部５の内径と略同じ大きさの外径を有するものとし、腕挿入筒部５の挿入口５ａにぴったりと嵌合するものであっても良い。また図５（ｂ）のように腕挿入筒部５の挿入口５ａ側の端部の内径を他部よりも大径として凹部２０を形成し、該凹部２０に嵌込部１９ａをぴったりと嵌合するものであっても良い。また図５（ｃ）のように腕挿入筒部５の挿入口５ａ側の端部を挿入口５ａ側程内径が徐々に大きくなる載置部２１とし、且つ嵌込部１９ａを突端側程大径となるテーパー状に形成し、該嵌込部１９ａの外周面を前記載置部２１の内面に合致させて表示器２を保持するようにしても良い。さらには図５（ｄ）のように保持手段１９として表示器２から下方に向けて被嵌部１９ｂを突出し、該被嵌部１９ｂの内側に腕挿入筒部５の挿入口５ａ側の端部を構成する筒状の装置本体１の上端部を被嵌し、これにより表示器２を装置本体１に保持するようにしても良い。即ち本発明にあっては、装置本体１及び表示器２の少なくともいずれか一方に前記嵌込部１９ａや被嵌部１９ｂのような保持手段１９を設けてあれば良い。
【００２８】
また上記各例の血圧測定装置において、腕挿入筒部５に表示器２を保持した状態であるか否かを検出する保持検出手段と、腕挿入筒部５に表示器２を保持した状態で表示器２と装置本体１との通信を停止する通信停止手段とを設けることが好ましく、図６及び図７にその一例を示す。
【００２９】
図６及び図７では表示器２の本体部１３の前端部の下面（即ち装置本体１の挿入口５ａの周縁部上に載置される部分の下面）に保持検出手段としてのスイッチ２３を設け、表示器２を装置本体１に保持した状態ではスイッチ２３が装置本体１の挿入口５ａの周縁部によって押されて表示器２が装置本体１に保持された状態とされ、それ以外では表示器２が装置本体１に保持されていない状態（即ち表示器２を装置本体１から取り外した状態）とされる。そして表示器２の表示器側回路部１８は腕挿入筒部５に表示器２を保持した状態である場合には、表示器２側で表示器２と装置本体１との通信を停止し、且つ腕挿入筒部５に表示器２を保持していない状態では表示器２側で表示器２と装置本体１との通信を許容するように設定してあり、即ち本例では表示器２の表示器側回路部１８で通信停止手段を構成している。
【００３０】
このように腕挿入筒部５に表示器２を保持した状態で表示器２と装置本体１との通信を停止する通信停止手段を設けることで、表示器２が装置本体１に保持されていない状態でのみ表示器２と装置本体１との通信を可能とすることができ、省エネを実現できる。
【００３１】
なお上記図６の例では保持検出手段としてのスイッチ２３を表示器２に設け、表示器２側で表示器２と装置本体１との通信を停止するようにしたが、同様のスイッチを装置本体１に設け、装置本体１側で表示器２と装置本体１との通信を停止するようにしても良く、さらには保持検出手段としてのスイッチを表示器２及び装置本体１の両方に設け、表示器２側及び装置本体１側の夫々で表示器２と装置本体１との通信を停止するようにしても良い。
【００３２】
また上記各例の血圧測定装置において、腕挿入筒部５に表示器２を保持した状態であるか否かを検出する保持検出手段と、腕挿入筒部５に表示器２を保持した状態で装置本体１又は表示器２の少なくとも一方の電源をＯＦＦにする電源ＯＦＦ手段を設けることが好ましく、図８及び図９にその一例を示す。
【００３３】
図示例では装置本体１の挿入口５ａの周縁部の上面（即ち装置本体１において表示器２が載置される部分の上面）に保持検出手段としてのスイッチ２４を設け、表示器２を装置本体１に保持した状態ではスイッチ２４が表示器２の表示部１４の上端部によって押されて表示器２が装置本体１に保持された状態とし、それ以外では表示器２が装置本体１に保持されていない状態（即ち表示器２を装置本体１から取り外した状態）としている。そして装置本体１の本体側回路部１０は、腕挿入筒部５に表示器２を保持した状態である場合には装置本体１の電源をＯＦＦにし、且つ腕挿入筒部５に表示器２を保持していない状態では電源をＯＮとするように設定してあり、即ち本例では装置本体１の本体側回路部１０が電源ＯＦＦ手段を構成している。
【００３４】
このように腕挿入筒部５に表示器２を保持した状態であるか否かを検出する保持検出手段と、腕挿入筒部５に表示器２を保持した状態で装置本体１又は表示器２の少なくとも一方の電源をＯＦＦにする電源ＯＦＦ手段とを設けることで、表示器２が装置本体１に保持されていない状態でのみ装置本体１の電源をＯＮにすることができ、省エネを実現でき、また本例では非測定時における装置本体１の誤動作を防止できる。
【００３５】
なお上記図８に示す例では先に示した図６の例に適用しても良い。また本例では保持検出手段としてのスイッチ２４を装置本体１に設け、表示器２を装置本体１に保持した状態で装置本体１の電源をＯＦＦにするようにしたが、同様のスイッチを表示器２に設け、表示器２を装置本体１に保持した状態で表示器２の電源をＯＦＦするようにしても良く、さらには保持検出手段としてのスイッチを表示器２及び装置本体１の両方に設け、表示器２を装置本体１に保持した状態で装置本体１と表示器２の両方の電源をＯＦＦするようにしても良い。
【００３６】
また上記図８の例を除く各例の血圧測定装置において、腕挿入筒部５に表示器２を保持した状態であるか否かを検出する保持検出手段と、表示器２で表示される表示内容を腕挿入筒部５に表示器２を保持した状態と保持していない状態とで自動的に異ならせる表示内容変更手段とを設けることが好ましく、図１０にその一例を示す。なお以下の例における保持検出手段は、先の図６又は図８の例で示した保持検出手段と同様の保持検出手段を設けるものとし、詳細な説明は省略する。
【００３７】
図１０に示す例では、表示器２の表示画面１４ａに表示される表示内容として、腕挿入筒部５に表示器２を保持した状態で表示される保持状態表示と、腕挿入筒部５に表示器２を保持していない状態で表示される非保持状態表示とを備えており、保持状態表示では図１０（ａ）に示すように表示画面１４ａに最高血圧、最低血圧、脈拍数からなる測定結果を表示し、また非保持状態表示では図１０（ｂ）に示すように現在時刻及び現在の日付を表示するように設定してある。表示器側回路部１８又は本体側回路部１０は腕挿入筒部５に表示器２を保持した状態で表示画面１４ａに保持状態表示を表示し、且つ表示器２を保持していない状態で表示画面１４ａに非保持状態表示を表示するように設定してあり、つまり本例では表示器側回路部１８又は本体側回路部１０が表示内容変更手段を構成している。
【００３８】
このように表示器２で表示される表示内容を腕挿入筒部５に表示器２を保持した状態と保持していない状態とで自動的に異ならせる表示内容変更手段を設けることで、腕挿入筒部５に表示器２を保持した状態と保持していない状態の夫々に適した表示を表示器２で表示することができ、腕挿入筒部５に表示器２を保持した非測定時には表示器２を有効に利用することができる。
【００３９】
なお非保持状態表示で表示される表示内容としては上記時計表示に限定されるものではなく、例えば表示画面１４ａに「本体・表示分離型で使いやすい血圧計新発売」といった商品等の広告を表示する広告表示などであっても良い。さらには非保持状態表示で表示される表示内容として既述した時計表示及び広告表示などの異なる表示内容を複数備え、操作部の操作などによりこれら複数の異なる表示内容から選択されたものを非保持状態表示として表示しても良いものとする。
【００４０】
なお上記各例では腕挿入筒部５を断面で環状に連続する完全な筒状としたが、該腕挿入筒部５は断面で周方向の一部が開口した断面Ｃ字状の略筒状に形成してあっても良いものとする。また上記各例では装置本体１と表示器２の通信は赤外線等を用いて無線により行うものとするが、有線であっても良く、また装置本体１と表示器２の通信は双方向で行うものであっても良い。
【図面の簡単な説明】
【００４１】
【図１】本発明の実施の形態の一例を示す説明図である。
【図２】同上の装置本体の斜視図である。
【図３】同上の表示器の斜視図である。
【図４】同上の回路ブロック図である。
【図５】同上の保持手段の変形例を示す説明図である。
【図６】他例の血圧測定装置を示し、表示器を装置本体の腕挿入筒部に取付けた状態を示す側面図である。
【図７】同上の表示器の側面図である。
【図８】更に他例の血圧測定装置を示し、表示器を装置本体の腕挿入筒部に取付けた状態を示す側面図である。
【図９】同上の腕挿入筒部を示す側面図である。
【図１０】更に他例の血圧測定装置を示し、（ａ）は装置本体から表示器を取り外した状態を示す斜視図であり、（ｂ）は装置本体に表示器を取り付けた状態を示す斜視図である。
【図１１】従来の血圧計を示し、（ａ）は表示器を装置本体に取付けた状態を示す斜視図であり、（ｂ）は表示器を装置本体から取り外した状態を示す斜視図である。
【符号の説明】
【００４２】
１  装置本体
２  表示器
５  腕挿入筒部
１４  表示部
１４ａ  表示画面
１９  保持手段
１９ａ  嵌込部
【図１】
2008148768.tif 000003
【図２】
2008148768.tif 000004
【図３】
2008148768.tif 000005
【図４】
2008148768.tif 000006
【図５】
2008148768.tif 000007
【図６】
2008148768.tif 000008
【図７】
2008148768.tif 000009
【図８】
2008148768.tif 000010
【図９】
2008148768.tif 000011
【図１０】
2008148768.tif 000012
【図１１】
2008148768.tif 000013